(57)【要約】【課題】画像形成装置を大型化させることなく、構造上の機械構成を利用することで、広く、かつ作業しやすい作業スペースを効率的に提供可能とする。【解決手段】複写機本体１０の上面部２３、フィニッシャーの上面部２２、ＬＣＴの上面部の高さを揃え、画像形成装置全体として高さを統一したフラットなテーブル面を構成し、そのフラット面の一部にスライド式テーブル３０を設ける。必要なときにスライド式テーブル３０を引き出して作業テーブルとすれば、容易に広い作業スペースを形成できる。スライド式テーブル３０は、未使用時は引き出さずに格納状態とする。【選択図】　　　　図４
2004045794.tif 000002
【特許請求の範囲】
【請求項１】
画像形成装置本体部、大容量給紙装置、フィニッシャ等の構成ユニットの上面部の高さを揃えて高さを統一したフラット面を形成し、上記いずれかの構成ユニットに、上記画像形成装置本体部の前後方向に出没可能で上面がフラットテーブル面をなすスライド式テーブルを設けてなることを特徴とする画像形成装置。
【請求項２】
画像形成装置本体部、大容量給紙装置、フィニッシャ等の構成ユニットの上面部の高さを揃えて高さを統一したフラット面を形成し、これら構成ユニットの上面と高さが揃っているフラット面を有するテーブルを上記いずれかの構成ユニット間に設けてなることを特徴とする画像形成装置。
【請求項３】
請求項１または２の画像形成装置において、上記構成ユニットのいずれかの上面から突出する部位の少なくとも一つに折り畳み式のフラット面付部材を備えてなることを特徴とする請求項１または２の画像形成装置。
【請求項４】
請求項１ないし３のいずれかの画像形成装置において、上記フラットなテーブル面の少なくともいずれかに、文具立て用底付穴を設けてなることを特徴とする画像形成装置。
【発明の詳細な説明】
【０００１】
【発明の属する技術分野】
本発明は画像形成装置に関し、特に画像形成装置の上面の形状、構造を利用しながら、作業台等として使用可能なスペースの増加及び画像形成作業の能率向上を図ったものに関する。
【０００２】
【従来の技術及び発明が解決しようとする課題】
複写機やプリンタ等の画像形成装置には、図１に示すように画像形成装置本体１に給紙ユニットであるＡＤＦ２や排紙装置４、操作部装置３が一体型になったものや、図２に示すように画像形成装置本体５を中心に大量給紙ユニット（以下、ＬＣＴという）６やフィニッシャ７あるいは紙処理ユニット等を組み合わせて構成したものがある。
【０００３】
これら画像形成装置あるいはその周辺装置については、画像形成作業を行う場合に、原稿や画像形成済みの用紙、あるいはクリップやペン等の文具を装置周辺に置くことが多いことを考慮する必要があるが、従来のこの種の画像形成装置では、原稿等の置き場所や、装置上面を利用することまで考慮して設計されていないため、複写作業中に複写原稿を置いたり、揃えたり、必要な小物を一時的に置いておくスペースがなかったり、仮にスペースを後からつくったとしても、非効率であったりするという問題点があった。
【０００４】
例えば、図１に示す画像形成装置では、画像形成装置本体１の上面部がほとんどＡＤＦ２や操作パネル３によって占められており、画像形成装置の周囲に他の作業台を利用するしかなかった。また図２に示す画像形成装置では、画像形成本体５上には同じくスペースがなく、ＬＣＴ６やフィニッシャ７上に若干のスペースがあるものの、ＬＣＴ６の高さが低くて作業に不便であったり、フィニッシャ７の上のスペースでは原稿等がきちんと置けず、落下したり、排紙を妨げたりしていた。
【０００５】
操作パネルを画像形成装置本体の前方に設けた画像形成装置における作業台のスペース広大化技術が特開平１１−２５８８８４号公報に開示されてはいるが、そもそも従来の画像形成装置では、構造的にフラットな面が少なく、作業テーブルとしての機能を十分に果たす効果が少なかった。
【０００６】
本発明はこのような従来の問題点にかんがみたなしたもので、画像形成装置を大型化させることなく、構造上の機械構成を利用することで、広く、かつ作業しやすい作業スペースを効率的に提供可能とすることを目的とする。
【０００７】
【課題を解決するための手段】
本発明の請求項１に係る画像形成装置は、上記目的を達成するために、画像形成装置本体部、大容量給紙装置、フィニッシャ等の構成ユニットの上面部の高さを揃えて高さを統一したフラット面を形成し、上記いずれかの構成ユニットに、上記画像形成装置本体部の前後方向に出没可能で上面がフラットテーブル面をなすスライド式テーブルを設けてなることを特徴とする。
【０００８】
同請求項２に係るものは、上記目的を達成するために、画像形成装置本体部、大容量給紙装置、フィニッシャ等の構成ユニットの上面部の高さを揃えて高さを統一したフラット面を形成し、これら構成ユニットの上面と高さが揃っているフラット面を有するテーブルを上記いずれかの構成ユニット間に設けてなることを特徴とする。
【０００９】
同請求項３に係るものは、上記目的を達成するために、請求項１または２の画像形成装置において、上記構成ユニットのいずれかの上面から突出する部位の少なくとも一つに折り畳み式のフラット面付部材を備えてなることを特徴とする。
【００１０】
同請求項４に係るものは、上記目的を達成するために、請求項１ないし３のいずれかの画像形成装置において、上記フラットなテーブル面の少なくともいずれかに、文具立て用底付穴を設けてなることを特徴とする。
【００１１】
【発明の実施の形態】
以下本発明の実施の形態を図面を参照して説明する。
図３は本発明の実施対象とする画像形成装置の一例を示す斜視図である。図示の例の画像形成装置は複写機で、図中１０は複写機本体であり、着脱式の給紙トレイ１９、２０、２１、ＡＤＦ１３、原稿排紙トレイ１４を備えており、また図中２８はＬＣＴ、１１はフィニッシャで、これらが本実施形態の複写機の構成ユニットである。各構成ユニット１０、１１、２８はそれぞれ前面形状を図示のようにほとんどフラットな凹凸のない形状としてあり、また高さ及び奥行き寸法も一致させて構成してある。なお図中１２は操作部パネル、１４は原稿排紙トレイ、１６〜１８はＬＣＴ２８の給紙トレイ、２５は同手差しトレイ、２６は排紙トレイ、２７は大量排紙トレイである。
【００１２】
複写機本体１０は、テーブル状の上面部２３のほぼ中央位置にＡＤＦ１３を設け、その右側に原稿排紙トレイ１４を配し、これらによって専有される部分以外の部分は平坦な面を形成するようにしてある。図中２９は電源スイッチで複写機本体の上面部２３に形成した小さな凹部内に配してある。
【００１３】
原稿排紙トレイ１４はＡＤＦ１３の図中右側にビス止めや差込み等の手段によってＡＤＦ１３の開閉時には一緒に開閉動作するよう設けてあるが、ＡＤＦ１３の図中奥側にはこれらと同様にテーブルを設けてある。
【００１４】
図４は本発明を図３の画像形成装置に実施した第１形態の一部を示す斜視図である。本実施形態は、複写機本体１０の上面部２３、フィニッシャの上面部２２、ＬＣＴの上面部２４（図示せず）の高さを揃えることで、全体的に高さを統一したフラットなテーブル面を構成し、そのフラット面の一部にスライド式テーブル３０を設けてある。すなわち、構造的に高さを統一し、複写機本体１０の上面部２３、ＬＣＴの上面部２４、フィニッシャの上面部２２と、スライド式テーブル３０を併せ持つことで、必要なときにスライド式テーブル３０を引き出して作業テーブルとし、容易に広い作業スペースを形成できる。もちろんスライド式テーブル３０は、未使用時は引き出さずに格納状態とし、例えば画像形成装置前面での移動の邪魔にならないようにすればよい。
【００１５】
図５（Ａ）は本発明を図３の画像形成装置に実施した第２形態の一部を示す斜視図である。本実施形態の複写機本体１０は、ＡＤＦ１３の上面部と、カバーフィーダー１５の上面部との高さを揃え、その隙間に、高さを揃えたフラット面を設けたテーブル３１を設置することで、大きなフラットテーブル面を形成している。なお図５（Ｂ）に示すように、本実施形態のテーブル３１は、前方からの外観を考慮した目隠し部３１Ａを設けた構成とすることもできる。
【００１６】
図６は本発明を図３の画像形成装置に実施した第３形態の一部を示す平面図（Ａ）及び正面断面図（Ｂ、Ｃ）である。本実施形態は、原稿排紙トレイ１４にフラット面を設けるものであり、そのために原稿排紙トレイ１４に代えて２部品構成（折畳式）のフラット面付原稿排紙トレイ３２を用いている。
【００１７】
すなわち、図示のようにフラット面付き原稿排紙トレイ３２は、原稿排紙トレイ１４と同様の傾斜面を有するベース部材３２Ａと、フラット面を形成するため回動フラット面部材３２Ｂから構成してあり、ベース部材３２Ａの上端縁に軸支部３２Ｃを設け、回動フラット面部材３２Ｂの一端を軸支部３２Ｃに上下方向で回動可能に取り付けてある。そのため、図６（Ｂ）に示すように回動フラット面部材３２Ｂをベース部材３２Ａ上に降ろした状態として図３の原稿排紙トレイ１４と同様に用いることも、あるいは図６（Ｃ）に示すように持ち上げてフラット面化して作業テーブルとすることも自由に行える。
【００１８】
図７は、本発明を図３の画像形成装置に実施した第４形態の一部を示す平面図（Ａ）及び正面断面図（Ｂ）である。本実施形態は、図６に示した実施形態にフラット面付き原稿排紙トレイ対応ＡＤＦ（図では外装カバー３３を被せた状態で示す）を組み合わせた構成を有する。すなわち、上述したフラット面付き原稿排紙トレイ３２の回動フラット面部材３２Ｂのフラット面を図６（Ｃ）の状態（広げた状態）にした場合に、フラット面付き原稿排紙トレイ対応ＡＤＦの外装カバー３３に嵌め合い固定させる。フラット面付き原稿排紙トレイ対応ＡＤＦの外装カバー３３を開閉する場合には、この固定を解除して開閉を行う。なお図中３４は、フラット面付き原稿排紙トレイ３２のベース部材３２Ａ上面に設けた文具立て用底付穴である。
【００１９】
【発明の効果】
請求項１に係る画像形成装置は、以上説明してきたように、全ユニットの上面部高さを揃えることで構造上フラット面を形成し、かつ、そのフラット面からテーブルを前方に引き出すことで、装置上面前方に更に大きな平坦なスペースを確保できる、機械規格寸法を拡大せず、また別途に作業テーブルを用意することなく、画像形成を行う際の作業を容易に行うことができるようになるという効果がある。
【００２０】
請求項２に係る画像形成装置は、以上説明してきたように、画像形成部本体、大容量給紙部、フィニッシャ部の上面からそれぞれ飛び出るユニットや部品の上面高さと、フラット面を持つテーブルの高さを揃えて構造上フラット面を形成することで、請求項１と同様の効果を得ることができる。
【００２１】
請求項３に係る画像形成装置は、以上説明してきたように、画像形成部本体、大容量給紙部、フィニッシャ部の上面からそれぞれ飛び出すユニットや部品の少なくとも一つに折り畳み式のフラット面付部材を設け、それを広げることでユニットや部品のフラット面と連結して作業テーブルとなり得る広いフラット面を設け、請求項１や請求項２と同様の効果を得ることができる。
【００２２】
請求項４に係る画像形成装置は、以上説明してきたように、フラットなテーブル面に文具立て用底付穴を設けることで、上記共通の効果に加え、平坦な作業スペースのみでは提供できない画像形成作業の能率向上を提供することができる。
【図面の簡単な説明】
【図１】従来の複写機やプリンタ等の画像形成装置を示す斜視図である。
【図２】他の従来の複写機やプリンタ等の画像形成装置を示す斜視図である。
【図３】本発明の実施対象とする画像形成装置の一例を示す斜視図である。
【図４】本発明を図３の画像形成装置に実施した第１形態の一部を示す斜視図である。
【図５】本発明を図３の画像形成装置に実施した第２形態の一部を示す斜視図である。
【図６】本発明を図３の画像形成装置に実施した第３形態の一部を示す平面図（Ａ）及び正面断面図（Ｂ、Ｃ）である。
【図７】本発明を図３の画像形成装置に実施した第４形態の一部を示す平面図（Ａ）及び正面断面図（Ｂ）である。
【符号の説明】
１０　複写機本体
１１　フィニッシャ
１２　操作部パネル
１３　ＡＤＦ
１４　原稿排紙トレイ
１５　カバーフィーダー
１６〜１８　大容量給紙トレイの給紙トレイ
１９〜２１　複写機本体の給紙トレイ
２２　フィニッシャの上面部
２３　複写機本体の上面部
２４　大容量給紙トレイの上面部
２５　大容量給紙トレイの手差しトレイ
２６　排紙トレイ
２７　大量排紙トレイ
２８　大容量給紙トレイ（ＬＣＴ）
２９　電源スイッチ
３０　スライド式テーブル
３１　テーブル台
３１Ａ　テーブル台の目隠し部
３２　フラット面付原稿排紙トレイ
３２Ａ　ベース部材
３２Ｂ　回動フラット面部材
３２Ｃ　軸支部
３３　ＡＤＦの外装カバー
３４　文具立て用底付穴
【図１】
2004045794.tif 000003
【図２】
2004045794.tif 000004
【図３】
2004045794.tif 000005
【図４】
2004045794.tif 000006
【図５】
2004045794.tif 000007
【図６】
2004045794.tif 000008
【図７】
2004045794.tif 000009